(57)【特許請求の範囲】
【請求項１】
導電部材と同導電部材を被覆する合成ゴムにて形成された絶縁被覆体を備えたブッシングを、配電機器のケースを貫通させた状態で同ケースに、前記絶縁被覆体の外周に設けた外向フランジ部にて取付けるブッシングの配電機器への取付構造であり、前記外向フランジ部は、前記絶縁被覆体と同一材料で一体に形成された弾性体であって、外嵌された取付金具にて外周側から圧縮された剛性体として前記ケースに取付けられていることを特徴とするブッシングの配電機器への取付構造。
【請求項２】
請求項１に記載の取付構造において、前記絶縁被覆体がシリコーンゴムにて形成されていることを特徴とするブッシングの配電機器への取付構造。
【発明の詳細な説明】
【０００１】
【発明の属する技術分野】
本発明は、導電部材と、同導電部材を被覆する合成ゴムにて形成された絶縁被覆体を備えたブッシングの配電機器への取付構造に関する。
【０００２】
【従来の技術】
一般に、配電機器用ブッシングは金属製の導電部材と、同導電部材を外嵌して水密的に収納する磁器製の絶縁体とにより構成されていて、配電機器である開閉器、遮断器等のケースに絶縁状態に貫通させて取付けられて、同ケース内に収容されている電極と外部の電線とを接続すべく機能する。
【０００３】
ところで、当該ブッシングにおいては、絶縁体が磁器製であることから、かなりの重量であるとともに耐衝撃性が低く、当該ブッシングの配電機器のケースへの取付け作業、およびは当該ブッシングが取付けられた配電機器の装柱作業には慎重を要するとともに、かなりの労力を要する。
【０００４】
このため、配電機器用ブッシングにおいては、重量の低減および耐衝撃性の向上を図り、ブッシングの配電機器のケースに対する取付け作業、およびは当該ブッシングが取付けられた配電機器の装柱作業の改善と、労力の低減が要請されている。かかる要請に対処すべく、ヨーロッパ特許出願公開番号第０４４６４０４Ａ１号特許公開公報には、磁器製のブッシングに換えて、導電部材を被覆する絶縁被覆体を合成樹脂、および／または合成ゴムにて形成した所謂ポリマーブッシングが提案されている。
【０００５】
当該ポリマーブッシングにおいては、導電部材が２本の金属製の第１，第２のロッドにて構成されているとともに、絶縁被覆体が第１のロッドを被覆するエポキシ樹脂製の第１の被覆体と、第２のロッドを被覆するエラストマー製の第２の被覆体にて構成されていて、両ロッドはこれら両者間に設けた締付け手段にて互いに連結され、かつ第２の被覆体はその一端を第１の被覆体の一端に外嵌された状態で両ロッドの締付け手段の締付け作用にて第１の被覆体の外周に嵌合固着されている。当該ポリマーブッシングにおいては、第１の被覆体の外周に金属製のフランジが設けられていて、かかるフランジにて配電機器のケースに取付けられる。
【０００６】
【発明が解決しようとする課題】
このように、当該ポリマーブッシングにおいては、絶縁被覆体がエポキシ樹脂にて形成された第１の被覆体と、エラストマーにて形成された第２の被覆体とにより構成されていて、ケースに対する取付部位である第１の被覆体の剛性を高めるとともに、導電部材を被覆する部位である第２の被覆体の耐衝撃性を高めている。このため、当該ポリマーブッシングにおいては、構造が複雑になるととともに、その製作、組立に時間と労力を要することになる。
【０００７】
従って、本発明の目的は、絶縁被覆体を耐衝撃性の高い合成ゴムにて形成したポリマーブッシングを、絶縁被覆体の外周に一体に設けた弾性のフランジ部にて、配電機器のケースに対して強固で安定した状態に取付ることができる取付構造を提供して、簡単な構造で製作、組立に時間と労力を要することのないブッシングを使用可能とすることにある。
【０００８】
【課題を解決するための手段】
本発明は、導電部材と、同導電部材を被覆する合成ゴムにて形成された絶縁被覆体を備えたブッシングを、配電機器のケースを貫通させた状態で同ケースに、前記絶縁被覆体の外周に一体に設けた外向フランジ部にて取付けるブッシングの配電機器への取付構造であり、前記外向フランジ部は、前記絶縁被覆体と同一材料で一体に形成された弾性体であって、外嵌された取付金具にて外周側から圧縮された剛性体として前記ケースに取付けられていることを特徴とするものである。
【０００９】
本発明の取付構造には、前記絶縁被覆体がシリコーンゴムにて形成されているブッシングが好適に使用される。
【００１０】
【発明の作用・効果】
本発明の取付構造を採用すれば、ブッシングを構成する絶縁被覆体の外向フランジ部に外嵌している取付金具が外向フランジ部を圧縮して剛性を高めているため、当該ブッシングは剛性の高められた外向フランジ部にて配電機器のケースに取付けられる。このため、絶縁被覆体の全体を弾性が高くて耐衝撃性に優れた合成ゴムで形成したブッシングを、ケースに対して強固で安定した状態に取付けることができる。
【００１１】
【発明の実施の形態】
以下本発明の実施の形態を図面に基づいて説明するに、図１には本発明の第１の実施の形態に係る取付構造を採用して配電機器のケースに取付けられるブッシングが示されている。当該ブッシングは導電部材１１と、被覆電線１２と、絶縁被覆体１３とにより構成されていて、取付金具１４を介して開閉器のケース１５に取付けられる。導電部材１１は金属製の棒状のもので、一端側には取付孔１１ａが形成されているとともに、他端側にはネジ部１１ｂが形成されている。取付孔１１ａは導電部材１１に同軸的に形成されていて、導電部材１１の一端側から軸方向へ所定深さ延びている。
【００１２】
被覆電線１２は送配電線と同一の被覆電線であって、芯線１２ａの外周をエチレン−プロピレンゴムからなる被覆体１２ｂにて被覆されているものである。被覆電線１２は適宜の長さのもので、一端側において芯線１２ａが被覆体１２ｂから所定量突出しており、芯線１２ａの突出部を導電部材１１の一端側の取付孔１１ａに挿入されて、取付孔１１ａの周壁をカシメることにより、導電部材１１の一端に電気的に接続されている。
【００１３】
絶縁被覆体１３は、その全体をシリコーンゴムにて形成されているもので、導電部材１１および被覆電線１２の一部を被覆する筒部１３ａと、同筒部１３ａの外周に一体的に形成された多数の傘部１３ｂと、筒部１３ａの外周に一体的に形成された外向フランジ部１３ｃとにより構成されている。傘部１３ｂおよび外向フランジ部１３ｃは円板状のもので、外向フランジ部１３ｃは傘部１３ｂに比較し厚く形成されている。これにより、外向フランジ部１３ｃはその剛性を高められている。
【００１４】
絶縁被覆体１３は、所定の成形型内に導電部材１１およびこれに接続した被覆電線１２の一部をセットした状態で、これらと一体に成形されている。絶縁被覆体１３は導電部材１１をその他端部を残して絶縁被覆し、かつ被覆電線１２をその導電部材１１との接続部より被覆側まで絶縁被覆している。これにより、絶縁被覆体１３の一端側からは被覆電線１２が突出し、かつその他端側からは導電部材１１の他端部が突出している。
【００１５】
かかる構成の配電機器用ブッシングは、例えばその他端側を開閉器のケース１５に設けた取付穴から挿入した状態で、絶縁被覆体１３に設けた外向フランジ部１３ｃにて取付金具１４を介してケース１５に取付けられる。また、導電部材１１の他端部には、図１に２点鎖線で示すように、ネジ部１１ｂに螺着したナットを介して開閉器の電極が取付けられる。開閉器はこの状態で装柱され、ブッシングが有する被覆電線１３の一端に配電線が電気的に接続される。
【００１６】
しかして、当該ブッシングの取付けに使用する取付金具１４は、円錐状の筒部１４ａの小径端部に内向フランジ部１４ｂを有するとともに、大径端部に外向フランジ部１４ｃを有するものである。一方、ブッシングの絶縁被覆体１３における外向フランジ部１３ｃは一端側へ漸次縮径する円錐台形に形成されており、その外径寸法は取付金具１４の筒部１４ａの内径寸法に比較してわずかに大きく形成されている。また、外向フランジ部１３ｃの厚みは、取付金具１４における内外フランジ部１４ｂ，１４ｃ間の間隔よりわずかに広幅に形成されている。取付金具１４は、絶縁被覆体１３の外向フランジ部１３ｃに外嵌されて、外向フランジ１４ｃにてケース１５に突設した各ボルト１５ａに締付け固定されている。
【００１７】
取付金具１４は、この締付け固定により、その内向フランジ部１４ｂが図１の２点鎖線で示す状態から絶縁被覆体１３の外向フランジ部１３ｃの一端側面に当接するまで嵌合され、これにより絶縁被覆体１３の外向フランジ部１３ｃは径方向および厚み方向に圧縮されて剛性が高められる。このため、この状態で取付けられたブッシングは、外向フランジ部１３ｃが弾性の高い合成ゴムにて形成されているにも関わらず、ケース１５に対して強固で安定した状態に取付けられる。
【００１８】
図２には、ブッシングの第２の実施の形態に係る取付構造が示されている。当該取付構造においては、半割の筒体１６ａ，１６ｂにて構成された取付金具１６を使用している。また、ブッシングにおいては、絶縁被覆体１３の外向フランジ部１３ｄが、第１の実施の形態のブッシングの外向フランジ部１３ｃとは異なり円柱状に形成されている。取付金具１６を構成する各筒体１６ａ，１６ｂは大径筒部１６ａ１，１６ｂ１と、小径筒部１６ａ２，１６ｂ２とからなり、大径筒部１６ａ１，１６ｂ１を絶縁被覆体１３の外向フランジ部１３ｄに外嵌し、かつ小径筒部１６ａ２，１６ｂ２を絶縁被覆体１３の筒部１３ａに外嵌して、一対のボルト１６ｃにて絶縁被覆体１３の外周に締付け固定されている。
【００１９】
当該ブッシングは、取付金具１６の大径筒部１６ａ１，１６ｂ１、および絶縁被覆体１３の外向フランジ部１３ｄに設けた取付孔にケース１５に突設した各ボルト１５ａを挿入して、同ボルト１５ａにより配電機器のケース１５に締付けて取付けられている。この状態において、絶縁被覆体１３の外向フランジ部１３ｄは径方向および厚み方向に圧縮されていて、外向フランジ部１３ｄが弾性の高い合成ゴムにて形成されているにも関わらず、ケース１５に対して強固で安定した状態に取付けられる。
【００２０】
なお、かかる取付構造においては、取付金具１６の各小径筒部１６ａ２，１６ｂ２が当該ブッシングのフランジ部１３ｄの根元部に局部的に集中する電界を緩和して、コロナ放電の発生を防止する。
【図面の簡単な説明】
【図１】本発明の第１の実施の形態に係る取付構造を採用したブッシングの一部破断側面図である。
【図２】本発明の第２の実施の形態に係る取付構造を採用したブッシングの外向フランジ部における一部破断側面図である。
【符号の説明】
１１…導電部材、１２…被覆電線、１３…絶縁被覆体、１３ａ…筒部、１３ｃ，１３ｄ…外向フランジ部、１４，１６…取付金具、１５…ケース。
【図１】
0003598150.tif 000002
【図２】
0003598150.tif 000003